(57)【要約】【課題】意匠性に優れ、形態の変更が可能で、しかも積み重ねが容易となる幼児用椅子の提供を目的とする。【解決手段】左右の脚部材３，３と、左右の脚部材３，３を連結する前後一対の連結横桟木４，４と、前後一対の連結横桟木４，４上に固定され左右の脚部材３，３間に配置される座部２ａと背もたれ部２ｂが一体化された本体部２を備え、前後一対の連結横桟木４，４を長尺のものと交換することにより、左右の脚部材３，３間に２以上の本体部２，２を配置できるように構成する。【選択図】図２
2011234989.tif 000002
【特許請求の範囲】
【請求項１】
左右の脚部材と、該左右の脚部材を連結する前後一対の連結横桟木と、該前後の連結横桟木上に固定され前記左右の脚部材間に配置される座部と背もたれ部が一体化された本体部を備え、
前記前後一対の連結横桟木を長尺のものと交換することにより、前記左右の脚部材間に２以上の前記本体部を配置できるように構成した
ことを特徴とする幼児用椅子。
【請求項２】
前記脚部材は、前後に延びる略水平状の腕載せ部の前後端から対向状に下傾した前後の立上部が一体形成され、各立上部の下端には略水平に前後方向に延びる設置面部が一体形成されていることを特徴とする請求項１に記載の幼児用椅子。
【請求項３】
前記左右の脚部材間に掛け渡し状にテーブルが設けられ、
該テーブルは、引っ張ることにより脚部材から離脱され、離すことにより脚部材に係合されるスプリング式ノブを備えている
ことを特徴とする請求項１または請求項２に記載の幼児用椅子。
【請求項４】
前記脚部材の立上部には、前記連結横桟木を固定するためのネジを通すネジ通し孔が、高さの異なる位置に２以上形成されている
ことを特徴とする請求項２に記載の幼児用椅子。
【発明の詳細な説明】
【技術分野】
【０００１】
本発明は、幼児用の椅子に関するものである。
【背景技術】
【０００２】
従来、この種の幼児用椅子として、例えば特許文献１或いは特許文献２に開示されているようなものが存在する。
【先行技術文献】
【特許文献】
【０００３】
【特許文献１】特開２００８−２６４１９１号公報
【特許文献２】特開２００３−１１６６７４号公報
【発明の概要】
【発明が解決しようとする課題】
【０００４】
上記特許文献１，２に開示されているような幼児用椅子では、意匠性に乏しく、また、形態の変更が不可能であり、さらに、複数を積み上げ等することは困難であるという問題点があった。
【課題を解決するための手段】
【０００５】
本発明は、意匠性に優れ、形態を変更可能であり、かつ複数個の積み上げが容易となる幼児用椅子の提供を目的とし、この目的の少なくとも一部を達成するために以下の手段を採った。
本発明の幼児用椅子は、左右の脚部材と、該左右の脚部材を連結する前後一対の連結横桟木と、該前後の連結横桟木上に固定され前記左右の脚部材間に配置される座部と背もたれ部が一体化された本体部を備え、前記前後の連結横桟木を長尺のものと交換することにより、前記左右の脚部材間に２以上の前記本体部を配置できるように構成したことを要旨とする。
【発明の効果】
【０００６】
本発明の幼児用椅子では、前後一対の連結横桟木を長尺のものと交換することにより、左右の脚部材間に２以上の本体部を配置することができ、一人座り用の椅子とすることも、また、二人以上が座れるベンチ仕様の椅子にすることもでき、形態の変更が可能である。
【０００７】
また、本発明の幼児用椅子において、前記脚部材は、前後に延びる略水平状の腕載せ部の前後端から対向状に下傾した前後の立上部が一体形成され、各立上部の下端には略水平に前後方向に延びる設置面部が一体形成されているものとすることもできる。
こうすれば、左右の脚部材が優れた意匠性を呈し、かつ設置面部が水平状に前後に延びているため、安定して床面等に置くことができ、使用時の安定性が向上した幼児用椅子となる。
【０００８】
また、本発明の幼児用椅子において、前記左右の脚部材間に掛け渡し状にテーブルが設けられ、該テーブルは、引っ張ることにより脚部材から離脱され、離すことにより脚部材に係合されるスプリング式ノブを備えているものとすることもできる。
こうすれば、スプリング式ノブを脚部材に係合させてワンタッチでテーブルを左右の脚部材間に掛け渡し状に取り付けることができ、また、スプリング式ノブを引っ張ることでテーブルを容易に脚部材から離脱させて取り外すことができるものとなる。
【０００９】
また、本発明の幼児用椅子において、前記脚部材の立上部には、前記連結横桟木を固定するためのネジを通すネジ通し孔が、高さの異なる位置に２以上形成されているものとすることもできる。
こうすれば、脚部材の立上部に形成されている２以上のネジ通し孔の何れかを選択してネジを通し、脚部材に連結横桟木を固定することができ、連結横桟木上に固定される座部の高さを変更することができるものとなる。
【図面の簡単な説明】
【００１０】
【図１】テーブルを取り付けた状態の幼児用椅子の斜視構成図である。
【図２】テーブルを取り外した状態の幼児用椅子の斜視図である。
【図３】テーブルの斜視構成図である。
【図４】テーブルを裏返した状態の斜視構成図である。
【図５】連結横桟木上に座部を固定した要部縦断面拡大構成図である。
【図６】連結横桟木に連結ネジを締め付ける状態の要部拡大構成図である。
【図７】スプリング式ノブの分解断面構成図である。
【図８】スプリング式ノブの取り付け状態の断面構成図である。
【図９】複数の幼児用椅子を積み重ねた状態の側面構成図である。
【図１０】２連結でベンチ仕様とした幼児用椅子の斜視構成図である。
【発明を実施するための形態】
【００１１】
次に、本発明を実施するための形態を実施例を用いて説明する。
図１は、幼児用椅子のテーブルの取り付け状態の斜視図であり、図２は、テーブルを取り外した状態の幼児用椅子の斜視図である。
幼児用椅子１は、本体部２と、左右一対の脚部材３，３と、左右の脚部材３，３を連結する前後一対の連結横桟木４，４で構成され、左右の脚部材３，３間に着脱可能にテーブル５が取り付けられる。
【００１２】
本体部２は、略水平状の座部２ａと、この座部２ａの後端から一体状に上方へ立ち上がる背もたれ部２ｂが天然木素材で一体形成されており、座部２ａの前端には、垂下状に前垂れ部２ｃが一体形成されている。この前垂れ部２ｃの中央部には、股ベルトを挿入するための股ベルト孔２ｄが形成されている。
【００１３】
左右の脚部材３は同形状に形成されており、各脚部材３の上端側には、前後方向に略水平に延びる腕載せ部３ａが存在し、腕載せ部３ａの前後端から対向状に下傾した前後の立上部３ｂ，３ｃが一体形成されている。
即ち、腕載せ部３ａの前端から、下端を前方側へ向かって下傾させた立上部３ｂが一体形成され、腕載せ部３ａの後端から、下端を後方側へ向かって下傾させた立上部３ｃが一体形成されており、腕載せ部３ａと前後の立上部３ｂ，３ｃで、全体として八の字状に形成されている。
また、前側の立上部３ｂの下端には、前方へ向かって略水平に延びる設置面部３ｄが一体形成されており、後側の立上部３ｃの下端には、後方へ向かって略水平に延びる設置面部３ｅが一体形成されている。
【００１４】
この脚部材３は天然木素材で形成されたものであり、腕載せ部３ａの後部部位には、左右方向に貫通してナット孔９が形成されており、このナット孔９には、図８に示すようにナット部材１３が埋設固定される。
また、脚部材３の前後の立上部３ｂ，３ｃには、それぞれ上ネジ通し孔１０ａと下ネジ通し孔１０ｂが高さの異なる位置に左右方向に貫通形成されている。
【００１５】
このように左右の脚部材３は、それぞれ下端側に前後方向に延びる設置面部３ｄ，３ｅが一体形成されており、この設置面部３ｄ，３ｅが広い範囲で床面等に接するために、設置状態での安定性が向上するものとなる。
また、脚部材３は略八の字状に形成されて、斬新な意匠性を呈することができるものである。
【００１６】
この左右の脚部材３，３は、前後一対の連結横桟木４，４で連結されており、連結横桟木４，４には、それぞれ図５に示すように、左右方向に間隔をおいて下向き開口のビス用凹部４ａが複数形成されており、各ビス用凹部４ａ内に下方からビス６を入れることができるように構成されている。
なお、本体部２の座部２ａの裏側には、予め貼付板８が貼り付け固定されており、この貼付板８に向かって下方側からビス６を図５のようにねじ込んで、ビス６を介して連結横桟木４，４上に本体部２の座部２ａを固定することができる。
【００１７】
なお、図６の要部拡大構成図で示すように、脚部材３の上下何れかのネジ通し孔１０ａ，１０ｂを選択して、座部２ａの設置高さを調整することができるものである。
即ち、上ネジ通し孔１０ａ内に連結ネジ１１を通して連結横桟木４を高い位置に固定し、座部２ａを高い位置に設定することができ、また、下ネジ通し孔１０ｂを選択して、この下ネジ通し孔１０ｂに連結ネジ１１を通すことにより、低い位置に連結横桟木４を固定して座部２ａを低い位置に設定することができるものである。
【００１８】
なお、連結横桟木４，４の左右両端側には、端側から左右方向に横孔４ｂが形成されており、この横孔４ｂと交差する交差孔４ｃが前後方向に貫通形成されている。
上ネジ通し孔１０ａ或いは下ネジ通し孔１０ｂの何れかを選択して、連結ネジ１１を、この何れかのネジ通し孔１０ａ，１０ｂに外側から通し、連結ネジ１１を連結横桟木４の横孔４ｂ内に挿入してゆく。この時に、交差孔４ｃ内には円柱状の雌ネジ部材１２を予め嵌め込んでおき、この雌ネジ部材１２の雌ネジに対し連結ネジ１１を螺合させて締め付けてゆき、連結ネジ１１の頭部を脚部材３の立上部３ｂ，３ｃに強固に当接させることで、連結ネジ１１を介して脚部材３と連結横桟木４が連結固定されるものである。
なお、連結横桟木４は上下方向に長い縦長断面形状に形成されており、上下方向の曲げ強度が大となるように設定されている。
【００１９】
このように左右の一対の脚部材３，３を前後一対の連結横桟木４，４で連結し、前後の横桟木４，４上に、本体部２の座部２ａを複数のビス６，６で固定して、図２のような意匠性に優れた幼児用椅子１とすることができる。
この図２のように組み立てられた幼児用椅子１は、図９のように複数上下方向に積み重ねて収納しておくことができ、多数の幼児用椅子１を小スペースで保管或いは輸送できるものとなる。
積み重ね時に、背もたれ部２ｂが交互に反対側となるように上方へ複数積み上げることで、バランス良く積み重ねることができ、しかも、脚部材３，３の立上部３ｂ，３ｃが対向状に下向きに拡径しているため、積み重ね状態では、下側の幼児用椅子１の立上部３ｂ，３ｃの外側に、上方に積み上げられる幼児用椅子１の脚部材３の立上部３ｂ，３ｃが当接状態となり、図９のように強固な積み重ね状態が確保されるものとなる。
【００２０】
なお、このような幼児用椅子１は、連結ネジ１１を緩めて脚部材３から連結横桟木４を取り外し、横方向に長い長尺の連結横桟木４を別途用意して、長尺の連結横桟木４を用い、この長尺の連結横桟木４，４を一対の脚部材３，３間に連結ネジ１１で連結固定して、前後の長尺の連結横桟木４，４上に、図１０に示すように２個の本体部２，２を固定することができ、図１０では、本体部２，２を２連結でベンチ仕様としたものである。
なお、連結横桟木４の更に長いものを用意して用いることで、本体部２が３連結のベンチ仕様とすることもできる。
【００２１】
テーブル５は、図３に表側からの斜視図で、また図４に裏側から見た斜視図で示すような構造となっており、物を置くことのできる平板状の平板部５ａの前縁と側縁に、コの字状に立ち上げて囲い枠５ｂが固定されており、平板部５ａの裏側には、前後方向に延びる左右一対のアーム部５ｃ，５ｃがビス６，６で固定されている。
左右のアーム部５ｃ，５ｃには、それぞれ後端側にスプリング式ノブ７が固定状に取り付けられており、このスプリング式ノブ７はアーム部５ｃから取り外すことはできないようにしてあり、子供がスプリング式ノブ７を口に入れたりすることがないように構成されている。
【００２２】
スプリング式ノブ７は、図７の分解図で示すような構成部材で構成されている。
スプリング式ノブ７は、竹の子状筒体１５と、スプリング１６と、鉄棒１７と、ツマミ１８で構成されている。
竹の子状筒体１５の外周には、ノコ歯状断面の係合段部１５ａが形成されており、内径方向に突出した底鍔部５ｃの中央部に底孔１５ｂが貫通形成されている。
この竹の子状筒体１５は、テーブル５のアーム部５ｃに開けた孔内に係合段部１５ａを係合させて、抜脱不能にアーム部５ｃに固定されるものである。
【００２３】
この竹の子状筒体１５内にスプリング１６が収納され、スプリング１６の内側に鉄棒１７が挿通され、鉄棒１７は竹の子状筒体１５の底孔１５ｂから外側へ突出し、外側へ突出する部分にはツマミ取付ネジ部１７ｂが形成されており、このツマミ取付ネジ部１７ｂを、ツマミ１８に形成されたネジ孔１８ａ内に螺合させて、鉄棒１７の先端にツマミ１８が取り付け固定される。
鉄棒１７の他端側には鍔部１７ａが形成されており、鍔部１７ａよりも端側には先端ネジ部１７ｃが形成されている。
【００２４】
図８に示すように、脚部材３のナット孔９内に予めナット部材１３を埋設しておく。即ち、ナット孔９内にナット部材１３が予め埋め込まれて、ナット部材１３の鍔部１３ａが脚部材３の腕載せ部３ａの側面に当接されており、このナット部材１３に対し、図８に示すように、スプリング式ノブ７の先端ネジ部１７ｃを螺合させてゆくことで、脚部材３の外側にテーブルのアーム部５ｃ，５ｃを上下方向に回動可能に取り付けできるものである。
【００２５】
なお、テーブル５を脚部材３，３に取り付ける際には、ツマミ１８を外側へ引っ張った状態として鉄棒１７の先端ネジ部１７ｃの先端を脚部材３の腕載せ部３ａの外側面に当接させ、その状態で腕載せ部３ａに沿ってアーム部５ｃを前方側から後方側へスライドさせてゆくと、ナット孔９の位置に達した時にスプリング１６の付勢力で鉄棒１７がナット孔９内に自然に嵌まり込むこととなり、この状態でツマミ１８を回して先端ネジ部１７ｃをナット部材１３に螺合させてテーブル５を取り付け固定することができるものである。
【００２６】
テーブル５を取り外す時には、ツマミ１８を反対側に回してナット部材１３から先端ネジ部１７ｃを外し、ツマミ１８を外側へ引っ張ることで、鉄棒１７をナット孔９から離脱させることができ、この状態で容易に脚部材３からテーブル５のアーム部５ｃ，５ｃを取り外すことができるものであり、テーブル５の着脱は極めて容易に行うことができるものである。
【符号の説明】
【００２７】
１  幼児用椅子
２  本体部
２ａ  座部
２ｂ  背もたれ部
２ｃ  前垂れ部
３  脚部材
３ａ  腕載せ部
３ｂ，３ｃ  立上部
３ｄ，３ｅ  設置面部
４  連結横桟木
４ａ  ビス用凹部
４ｂ  横孔
４ｃ  交差孔
５  テーブル
５ａ  平板部
５ｂ  囲い枠
５ｃ  アーム部
６  ビス
７  スプリング式ノブ
８  貼付板
９  ナット孔
１０ａ  上ネジ通し孔
１０ｂ  下ネジ通し孔
１１  連結ネジ
１２  雌ネジ部材
１３  ナット部材
１５  竹の子状筒体
１５ａ  係合段部
１５ｃ  底鍔部
１６  スプリング
１７  鉄棒
１７ａ  鍔部
１７ｂ  ツマミ取付ネジ部
１７ｃ  先端ネジ部
１８  ツマミ
１８ａ  ネジ孔
【図１】
2011234989.tif 000003
【図２】
2011234989.tif 000004
【図３】
2011234989.tif 000005
【図４】
2011234989.tif 000006
【図５】
2011234989.tif 000007
【図６】
2011234989.tif 000008
【図７】
2011234989.tif 000009
【図８】
2011234989.tif 000010
【図９】
2011234989.tif 000011
【図１０】
2011234989.tif 000012